(57)【要約】【課題】コネクタ離脱の際にムービングプレートを元の位置に戻すことが可能な構造のコネクタを提供する。【解決手段】ムービングプレート５のプレート本体２９には、コネクタ短手方向の両側部に配置される複数対のプレート持ち上げロック３３を形成する。一方、雌コネクタハウジング４１には、コネクタ短手方向の両側部に配置される複数対のロックビーク５０を形成する。プレート持ち上げロック３３は、ロック撓み規制部２３との位置に応じて異なる撓みを可能にする形状に形成する。具体的には、横倒し方向に撓み、また、外側にも撓むような形状にプレート持ち上げロック３３を形成する。【選択図】図１
2016046085.tif 000002
【特許請求の範囲】
【請求項１】
（ａ）雄コネクタ本体及びムービングプレートを備える雄コネクタと、雌コネクタ本体及びレバーを備える雌コネクタとを含み、
（ｂ）前記雄コネクタ本体は、絶縁性を有する樹脂製の雄コネクタハウジングと、導電性を有する複数の金属製の雄端子とを備え、
（ｃ）前記ムービングプレートは、絶縁性を有する樹脂製のプレート本体を有し、
（ｄ）前記雌コネクタ本体は、絶縁性を有する樹脂製の雌コネクタハウジングと、導電性を有する複数の金属製の雌端子とを備え、
（ｅ）前記雄コネクタハウジングには、コネクタ嵌合・離脱の方向に沿って前記雌コネクタを移動自在に収容するフード部と、該フード部の内部空間の奥位置に配置される雄端子収容部とを形成し、
（ｆ）前記雄端子には、前記雄端子収容部から前記内部空間側に突出する雄形電気接触部と、該雄形電気接触部に連続して前記雄端子収容部に収容される電線接続部とを形成し、
（ｇ）前記プレート本体には、前記コネクタ嵌合・離脱の方向に直交するコネクタ長手方向の両側部に配置される一対の被係止部と、前記コネクタ長手方向に直交するコネクタ短手方向の両側部に配置される一対又は複数対のプレート持ち上げロックとを形成し、
（ｈ）前記雌コネクタハウジングには、前記コネクタ長手方向の両側部に配置される一対のアーム作用部と、前記コネクタ短手方向の両側部に配置される一対又は複数対のロックビークとを形成し、
（ｉ）前記フード部には、前記コネクタ長手方向の両側部に配置される一対のアーム状係止部と、前記コネクタ短手方向の両側部に配置される一対又は複数対のロック撓み規制部とを形成し、
前記雄コネクタと前記雌コネクタとのコネクタ嵌合では、
（１）前記フード部内に前記ムービングプレートを挿入して前記アーム状係止部に前記被係止部を引っ掛けることにより前記ムービングプレートを一時的に係止した状態にし、且つ、該一時的な係止状態により前記プレート本体にて前記雄形電気接触部の位置決め及び保護をし、
（２）前記ムービングプレートの前記一時的な係止状態で前記雌コネクタ本体を前記フード部内に挿入し前記プレート持ち上げロックを前記ロックビークにて非外側となる横倒し方向に撓ませ、且つ、該横倒し方向に撓ませた後に前記プレート持ち上げロックと前記ロックビークとを係合させ、
（３）前記レバーを操作して前記雌コネクタ本体を前記雄コネクタ本体に近づけつつ前記雌コネクタ本体にて前記プレート本体を押圧し、且つ、前記アーム作用部にて前記ムービングプレートの前記一時的な係止状態を解除する一方、
前記雄コネクタと前記雌コネクタとのコネクタ離脱では、
（イ）前記レバーを操作して前記雌コネクタ本体を前記雄コネクタ本体から遠ざける最中に前記プレート持ち上げロックの外側への撓みを前記ロック撓み規制部にて規制し、且つ、該規制により前記プレート持ち上げロックと前記ロックビークとの係合を維持し、且つ、該係合の維持により前記ムービングプレートを持ち上げるような状態で前記雌コネクタ本体と共に移動させ、
（ロ）前記アーム作用部にて前記ムービングプレートの前記一時的な係止状態に復帰させた後、且つ、前記ロック撓み規制部による規制を受けない位置まで前記プレート持ち上げロックを移動させた後に該プレート持ち上げロックと前記ロックビークとの係合解除をするにあたり、該係合解除として前記プレート持ち上げロックを前記ロックビークにて前記横倒し方向でなく前記外側に撓ませる
ことを特徴とするコネクタ。
【請求項２】
請求項１に記載のコネクタにおいて、
前記コネクタ嵌合をする前に外力によって前記ムービングプレートの前記一時的な係止状態が解除され、且つ、前記ムービングプレートが前記雄端子収容部の側に落ち込んだ状態になった時でも、前記プレート持ち上げロックを前記横倒し方向に撓ませて前記ロックビークと係合させる
ことを特徴とするコネクタ。
【発明の詳細な説明】
【技術分野】
【０００１】
本発明は、雄端子の雄形電気接触部の位置決め及び保護をするためのムービングプレートが設けられたコネクタに関する。
【背景技術】
【０００２】
電気的な接続を行うため用いられるコネクタは、一方の電線束の端末に設けられる雄コネクタと、他方の電線束の端末に設けられる雌コネクタとを備えて構成される。雄コネクタは、フード部及び雄端子収容部を有する雄コネクタハウジングと、このコネクタハウジングに収容される多数の雄端子とを備えて構成される。また、雄コネクタは、雄端子が多数ある場合、ムービングプレートを更に備えて構成される。ムービングプレートは、雄コネクタに対し雌コネクタが未嵌合の状態で、雄コネクタのフード部内に突出する雄端子の雄形電気接触部（雄タブ）の位置決め及び保護をするために備えられる。ムービングプレートは、フード部の内部中間位置に一時的に係止された状態に組み付けられる。以上のようなコネクタに関しては、例えば下記特許文献１に開示される。
【０００３】
特許文献１に開示されたコネクタよりも多極になる場合は、レバーを備え、このレバーの操作によって雄コネクタと雌コネクタとのコネクタ嵌合及びコネクタ離脱を行うことが有効である。レバーの図示は特に無いが、下記特許文献２には、ムービングプレートを構成に含む多極のコネクタについて開示される。
【先行技術文献】
【特許文献】
【０００４】
【特許文献１】特開２０００−１９５６１０号公報
【特許文献２】特開２００９−１８７８６５号公報
【発明の概要】
【発明が解決しようとする課題】
【０００５】
特許文献２に開示されたコネクタにあっては、雄コネクタと雌コネクタとのコネクタ嵌合の際にムービングプレートを雌コネクタと共に移動させる必要があることから、ムービングプレートの一部を破断させる構造を採用する。従って、コネクタ嵌合をさせた後にコネクタ離脱を行うと、ムービングプレートは雄コネクタのフード部の奥位置に残ったままの状態になってしまう。すなわち、従来技術にあっては、一度コネクタ嵌合を行うとムービングプレートが元の位置に戻らないという問題点を有する。
【０００６】
本発明は、上記した事情に鑑みてなされたもので、コネクタ離脱の際にムービングプレートを元の位置に戻すことが可能な構造のコネクタを提供することを課題とする。
【課題を解決するための手段】
【０００７】
上記課題を解決するためになされた請求項１に記載の本発明のコネクタは、（ａ）雄コネクタ本体及びムービングプレートを備える雄コネクタと、雌コネクタ本体及びレバーを備える雌コネクタとを含み、（ｂ）前記雄コネクタ本体は、絶縁性を有する樹脂製の雄コネクタハウジングと、導電性を有する複数の金属製の雄端子とを備え、（ｃ）前記ムービングプレートは、絶縁性を有する樹脂製のプレート本体を有し、（ｄ）前記雌コネクタ本体は、絶縁性を有する樹脂製の雌コネクタハウジングと、導電性を有する複数の金属製の雌端子とを備え、（ｅ）前記雄コネクタハウジングには、コネクタ嵌合・離脱の方向に沿って前記雌コネクタを移動自在に収容するフード部と、該フード部の内部空間の奥位置に配置される雄端子収容部とを形成し、（ｆ）前記雄端子には、前記雄端子収容部から前記内部空間側に突出する雄形電気接触部と、該雄形電気接触部に連続して前記雄端子収容部に収容される電線接続部とを形成し、（ｇ）前記プレート本体には、前記コネクタ嵌合・離脱の方向に直交するコネクタ長手方向の両側部に配置される一対の被係止部と、前記コネクタ長手方向に直交するコネクタ短手方向の両側部に配置される一対又は複数対のプレート持ち上げロックとを形成し、（ｈ）前記雌コネクタハウジングには、前記コネクタ長手方向の両側部に配置される一対のアーム作用部と、前記コネクタ短手方向の両側部に配置される一対又は複数対のロックビークとを形成し、（ｉ）前記フード部には、前記コネクタ長手方向の両側部に配置される一対のアーム状係止部と、前記コネクタ短手方向の両側部に配置される一対又は複数対のロック撓み規制部とを形成し、
前記雄コネクタと前記雌コネクタとのコネクタ嵌合では、（１）前記フード部内に前記ムービングプレートを挿入して前記アーム状係止部に前記被係止部を引っ掛けることにより前記ムービングプレートを一時的に係止した状態にし、且つ、該一時的な係止状態により前記プレート本体にて前記雄形電気接触部の位置決め及び保護をし、（２）前記ムービングプレートの前記一時的な係止状態で前記雌コネクタ本体を前記フード部内に挿入し前記プレート持ち上げロックを前記ロックビークにて非外側となる横倒し方向に撓ませ、且つ、該横倒し方向に撓ませた後に前記プレート持ち上げロックと前記ロックビークとを係合させ、（３）前記レバーを操作して前記雌コネクタ本体を前記雄コネクタ本体に近づけつつ前記雌コネクタ本体にて前記プレート本体を押圧し、且つ、前記アーム作用部にて前記ムービングプレートの前記一時的な係止状態を解除する一方、
前記雄コネクタと前記雌コネクタとのコネクタ離脱では、（イ）前記レバーを操作して前記雌コネクタ本体を前記雄コネクタ本体から遠ざける最中に前記プレート持ち上げロックの外側への撓みを前記ロック撓み規制部にて規制し、且つ、該規制により前記プレート持ち上げロックと前記ロックビークとの係合を維持し、且つ、該係合の維持により前記ムービングプレートを持ち上げるような状態で前記雌コネクタ本体と共に移動させ、（ロ）前記アーム作用部にて前記ムービングプレートの前記一時的な係止状態に復帰させた後、且つ、前記ロック撓み規制部による規制を受けない位置まで前記プレート持ち上げロックを移動させた後に該プレート持ち上げロックと前記ロックビークとの係合解除をするにあたり、該係合解除として前記プレート持ち上げロックを前記ロックビークにて前記横倒し方向でなく前記外側に撓ませる
ことを特徴とする。
【０００８】
また、請求項２に記載の本発明は、請求項１に記載のコネクタにおいて、
前記コネクタ嵌合をする前に外力によって前記ムービングプレートの前記一時的な係止状態が解除され、且つ、前記ムービングプレートが前記雄端子収容部の側に落ち込んだ状態になった時でも、前記プレート持ち上げロックを前記横倒し方向に撓ませて前記ロックビークと係合させる
ことを特徴とする。
【発明の効果】
【０００９】
請求項１に記載された本発明によれば、雄コネクタ本体及びムービングプレートを備える雄コネクタと、雌コネクタ本体及びレバーを備える雌コネクタとを含むコネクタであり、また、雌コネクタ本体には、一対又は複数対のロックビークを形成し、ムービングプレートには、ロックビークに対し係合及び係合解除する一対又は複数対のプレート持ち上げロックを形成し、雄コネクタ本体には、プレート持ち上げロックの撓みを規制するロック撓み規制部を複数形成し、さらに、プレート持ち上げロックを、ロック撓み規制部との位置に応じて異なる撓みを可能に形成してなる構造のコネクタであることから、このようなコネクタを採用することにより、コネクタ離脱の際にムービングプレートを持ち上げることができる。従って、本発明によれば、コネクタ離脱の際にムービングプレートを元の位置に戻すことができるという効果を奏する。
【００１０】
請求項２に記載された本発明によれば、ムービングプレートがフード部の内部空間の奥位置まで（雄端子収容部の側まで）落ち込んだ状態においてもコネクタ嵌合を行うことができる。すなわち、上記落ち込んだ状態でムービングプレートのプレート持ち上げロックの隣にロック撓み規制部が配置された状態であっても、プレート持ち上げロックを外側でなく横倒し方向に撓ませるようにすることで、この後にプレート持ち上げロックとロックビークとを破損なく係合させることができる。従って、本発明のコネクタを採用することで、ムービングプレートが落ち込んだとしても破損することなくコネクタ嵌合を行うことができるという効果を奏する。
【図面の簡単な説明】
【００１１】
【図１】本発明のコネクタの構成を示す分解斜視図である。
【図２】コネクタ嵌合を開始した直後のコネクタの状態を示す図であり、図１の矢印Ｂ側から見たコネクタの図（電線は省略）である。
【図３】図２のＤ−Ｄ線断面図である。
【図４】ムービングプレートの斜視図である。
【図５】コネクタ嵌合を開始した直後のコネクタの状態を示す図であり、図１の矢印Ｃ側から見たコネクタの図（断面を含む。電線、端子、及びレバーの図示は省略）である。
【図６】図５のＥ−Ｅ線断面図である。
【図７】図５及び図６におけるプレート持ち上げロックとロックビークとの状態を示す平面図である。
【図８】ロックビークとプレート持ち上げロックとの係合に係るコネクタの状態を示す図である（断面を含む。電線、端子、及びレバーの図示は省略）。
【図９】図８のＦ−Ｆ線断面図である。
【図１０】図８の要部拡大図である。
【図１１】図９の要部拡大図である。
【図１２】ムービングプレートがフード部の奥位置まで移動した時のコネクタの状態を示す図である（断面を含む。電線、端子、及びレバーの図示は省略）。
【図１３】図１２のＧ−Ｇ線断面図である。
【図１４】図１２の要部拡大図である。
【図１５】図１３の要部拡大図である。
【図１６】図１２及び図１３におけるプレート持ち上げロックとロックビークとの状態を示す平面図である。
【図１７】コネクタ離脱を開始した直後のプレート持ち上げロックとロック撓み規制部との作用に係る要部拡大図である。
【図１８】ロックビークとプレート持ち上げロックとの係合解除に係る要部拡大図である。
【発明を実施するための形態】
【００１２】
コネクタは、雄コネクタ本体及びムービングプレートを備える雄コネクタと、雌コネクタ本体及びレバーを備える雌コネクタとを含んで構成される。雄コネクタ本体は、雄コネクタハウジングと複数の金属製の雄端子とを備え、ムービングプレートはプレート本体を有する。一方、雌コネクタ本体は、雌コネクタハウジングと複数の金属製の雌端子とを備える。
【００１３】
雄コネクタハウジングには、コネクタ嵌合・離脱の方向に沿って雌コネクタを移動自在に収容するフード部を形成する。また、フード部には、コネクタ短手方向の両側部に配置される一対又は複数対のロック撓み規制部を形成する。プレート本体には、コネクタ短手方向の両側部に配置される一対又は複数対のプレート持ち上げロックを形成する。雌コネクタハウジングには、コネクタ短手方向の両側部に配置される一対又は複数対のロックビークを形成する。
【００１４】
プレート持ち上げロックは、ロック撓み規制部との位置に応じて異なる撓みを可能にする形状に形成する。具体的には、横倒し方向に撓み、また、外側にも撓むような形状にプレート持ち上げロックを形成する。
【実施例】
【００１５】
以下、図面を参照しながら実施例を説明する。図１は本発明のコネクタの構成を示す分解斜視図である。また、図２はコネクタ嵌合を開始した直後のコネクタの状態を示す図であり、図１の矢印Ｂ側から見たコネクタの図（電線は省略）、図３は図２のＤ−Ｄ線断面図、図４はムービングプレートの斜視図である。
【００１６】
また、図５はコネクタ嵌合を開始した直後のコネクタの状態を示す図であり、図１の矢印Ｃ側から見たコネクタの図（断面を含む。電線、端子、及びレバーの図示は省略）、図６は図５のＥ−Ｅ線断面図、図７は図５及び図６におけるプレート持ち上げロックとロックビークとの状態を示す平面図である。
【００１７】
＜コネクタの構成＞
図１において、コネクタ１は、例えば自動車のカウルサイドで用いられるものである。もう少し詳しく説明をすると、所謂インパネやエンジン、フロア等に配策された多くの電線（回路）を集結するために用いられるものである。コネクタ１は、雄コネクタ２と、雌コネクタ３とを備えて構成される。雄コネクタ２と、雌コネクタ３は、矢印Ａ方向に沿ってコネクタ嵌合・離脱をする。コネクタ１は、図からも分かるように多極コネクタであって、比較的大きな物として形成される。先ず、雄コネクタ２と雌コネクタ３の構成及び構造について説明をする。
【００１８】
＜雄コネクタの構成＞
図１ないし図３において、雄コネクタ２は、雄コネクタ本体４と、ムービングプレート５とを含んで構成される。
【００１９】
＜雄コネクタ本体の構成と、雄端子の構成及び構造＞
雄コネクタ本体４は、導電性を有する複数の（多数の）金属製の雄端子６と、絶縁性を有する樹脂製の雄コネクタハウジング７とを備えて構成される。雄端子６は、雄形電気接触部８と、この雄形電気接触部８に連続する電線接続部９とを有する。雄形電気接触部８は、雄タブやピンなどと呼ばれる雄形に形成される。電線接続部９は、電線１０の端末に接続される部分として形成される。
【００２０】
＜雄コネクタハウジングの構造＞
雄コネクタハウジング７は、フード部１１と、雄端子収容部１２とを有する。フード部１１と雄端子収容部１２は、樹脂成形により一体の形状に形成される。また、フード部１１は、コネクタ嵌合・離脱の方向（矢印Ａの方向）に沿って雌コネクタ３を移動自在に収容する部分として形成される。ここで、コネクタ嵌合・離脱の方向に直交する方向を、図１に示す如くコネクタ長手方向及びコネクタ短手方向と定義すると、フード部１１は、コネクタ長手方向に沿って形成される一対の長手側壁１３、１４と、コネクタ短手方向に沿って形成される一対の短手側壁１５、１６と、開口部１７と、内部空間１８とを有する（別な言い方をすれば、コネクタ長手方向の両側部に短手側壁１５、１６が配置形成され、コネクタ短手方向の両側部に長手側壁１３、１４が配置形成され、この他に開口部１７と内部空間１８とが形成される）。
【００２１】
長手側壁１３には、ブラケット取付部１９が形成される。このブラケット取付部１９は、図示しないブラケットに取り付けられる部分であって、外面側に形成される。長手側壁１３、１４の各内面には、支点突起収容溝２０と、ロック対向部２１とが形成される。支点突起収容溝２０は、後述するレバー３９の支点突起５６を収容して案内する溝部分として形成される。尚、支点突起収容溝２０や支点突起５６は、ＬＩＦ機構の一部であり、ここでは詳細な説明を省略する。
【００２２】
ロック対向部２１は、コネクタ嵌合・離脱の方向に沿ってのびるように形成される。別な言い方をすれば、開口部１７からフード部１１の内部空間１８の奥位置２２まで真っ直ぐのびるように形成される。また、ロック対向部２１は、ムービングプレート５の後述するプレート持ち上げロック３３に対向する位置に配置形成される。
【００２３】
ロック対向部２１の中間には、ロック撓み規制部２３が配置形成される。このロック撓み規制部２３は、ムービングプレート５の後述するプレート持ち上げロック３３を撓ませないように規制をする部分として形成される。すなわち、撓みを規制してプレート持ち上げロック３３と雌コネクタ３の後述するロックビーク５０との係合が解除されないようにするための部分として形成される。ロック撓み規制部２３は、ロック対向部２１の溝底面から突出するような形状に形成される。尚、ロック撓み規制部２３よりも開口部１７側の空間は、プレート持ち上げロック３３に対する撓み許容空間２４になる。
【００２４】
図１及び図５において、短手側壁１５、１６の各内面には、ムービングプレート５や雌コネクタ３に対するガイド部（符号省略）が形成される。また、各内面には、アーム状係止部２５も形成される。アーム状係止部２５は、ムービングプレート５を一時的に係止させるアーム状の係止部分として形成される。アーム状係止部２５は、このアーム基端部分が内面中間に連成されるとともに、アーム先端側がフード部１１の奥側に向くように形成される。また、アーム状係止部２５は、アーム先端側が外側に移動するような可撓性を有する部分に形成される。アーム状係止部２５には、特に図示しないが、ムービングプレート５を引っ掛けるフック状の部分が形成される。
【００２５】
図１ないし図３において、雄端子収容部１２は、フード部１１の内部空間１８の奥位置２２に連続するように配置形成される。雄端子収容部１２には、端子収容室２６が複数（多数）形成される。端子収容室２６には、雄端子６を係止するためのランス（符号省略）が形成される。本実施例においては、端子収容室２６に収容された雄端子６がスペーサ２７により二重に係止される。雄端子６は、この雄形電気接触部８が隔壁２８を貫通して内部空間１８に突出するような状態で収容される。
【００２６】
＜ムービングプレートの構造＞
図１及び図４において、ムービングプレート５は、絶縁性を有する樹脂成形品であって、フード部１１の内部中間位置に一時的に係止されるように組み付けられる。ムービングプレート５は、雄コネクタ２に対し雌コネクタ３が未嵌合の状態にある時に、フード部１１内に突出する雄端子６の雄形電気接触部８の位置決め及び保護をすることができるように形成される。このようなムービングプレート５は、プレート本体２９を有する図示形状に形成される。尚、ムービングプレート５は、アライニングプレートと呼ばれることもある。
【００２７】
プレート本体２９は、フード部１１の断面形状に合わせた外形を有する板状の部分に形成される。本実施例においては、コネクタ長手方向に沿った辺が比較的長くなる長方形の板状部分に形成される。プレート本体２９には、雄形電気接触部８を挿通するための挿通部３０が複数（多数）貫通形成される。この他、プレート本体２９には、一対の被係止部３１と、一対のガイド部３２と、二対のプレート持ち上げロック３３とが形成される。
【００２８】
被係止部３１は、雄コネクタハウジング７の短手側壁１５、１６に対向する側部に配置形成される（別な言い方をすれば、コネクタ長手方向の両側部に配置形成される）。被係止部３１は、雄コネクタハウジング７のアーム状係止部２５（図５参照）に引っ掛かり一時的に係止される部分として形成される。被係止部３１は、プレート本体２９の裏面側に配置形成される。
【００２９】
ガイド部３２は、可撓性を有する片状の部分に形成される。このようなガイド部３２は、被係止部３１の反対側の位置に、すなわち表面側に配置形成される。ガイド部３２は、雄コネクタハウジング７の短手側壁１５、１６と、雌コネクタ３の後述する雌コネクタ本体３８との間に介在するように配置形成される。
【００３０】
図４、図５、図７、及び図１０において、プレート持ち上げロック３３は、雄コネクタハウジング７の長手側壁１３、１４に対向する側部に二つずつ配置形成される（別な言い方をすれば、コネクタ短手方向の両側部に二つずつ配置形成される）。プレート持ち上げロック３３は、雌コネクタ３の後述する雌コネクタ本体３８に対し係合・離脱する部分として形成される。
【００３１】
プレート持ち上げロック３３は、雌コネクタ３に向けて突出するようなアーム状の部分と、このアーム状の部分に連続する係合用の部分とを有して図示形状に形成される。プレート持ち上げロック３３は、後の説明で分かるようになるが、横倒し方向に撓むことが可能な、また、外側にも撓むことが可能な可撓性を有する形状に形成される。別な言い方をすれば、プレート持ち上げロック３３は、雄コネクタハウジング７のロック撓み規制部２３との位置に応じて異なる撓みを可能にする形状に形成される。
【００３２】
プレート持ち上げロック３３の先端側には（上記係合用の部分には）、三つのテーパ３４、３５、３６（図７参照）と、係合部３７とが形成される。三つのテーパ３４、３５、３６は、プレート持ち上げロック３３の突出方向先端が頂部になるような山形状の斜面部分として形成される。係合部３７は、雌コネクタ３の後述するロックビーク５０との係合部分として形成される。尚、係合部３７は、ロックビーク５０に対し離脱可能な部分にも形成される。
【００３３】
上記三つのテーパ３４、３５、３６のうち、テーパ３６はコネクタ嵌合の際にロックビーク５０が当接する部分として形成される。このテーパ３６は、もう少し具体的に説明すると、ロックビーク５０からの力の向きをコネクタ嵌合の方向（Ａの方向）とは異なる方向に変換することができるように形成される。プレート持ち上げロック３３は、テーパ３６を有することから、コネクタ嵌合の際、テーパ３６にロックビーク５０が当接すると矢印方向に撓むような、すなわち横倒し方向に撓むような部分に形成されるといえる。尚、矢印方向（横倒し方向）にプレート持ち上げロック３３が撓むのは、上記のように通常のコネクタ嵌合の際のロックビーク５０が当接する時と、ムービングプレート５がフード部１１の奥位置２２まで落ち込んだ状態でコネクタ嵌合する時（後述する）の２パターンのみである（コネクタ離脱の際には横倒し方向に撓むことがない）。
【００３４】
プレート持ち上げロック３３は、コネクタ離脱の際に、すなわち雌コネクタ３が雄コネクタ２から遠ざかる際に、雌コネクタ３によってムービングプレート５を持ち上げる部分として形成される。
【００３５】
＜雌コネクタの構成＞
図１ないし図３において、雌コネクタ３は、雌コネクタ本体３８と、レバー３９とを含んで構成される。
【００３６】
＜雌コネクタ本体の構成と、雌端子の構成及び構造＞
雌コネクタ本体３８は、導電性を有する複数の（多数の）金属製の雌端子４０と、絶縁性を有する樹脂製の雌コネクタハウジング４１とを備えて構成される。雌端子４０は、雌形電気接触部４２と、この雌形電気接触部４２に連続する電線接続部４３とを有する。雌形電気接触部４２は、雄形電気接触部８との電気的な接続を行う部分として箱形に形成される。一方、電線接続部４３は、電線４４の端末に接続される部分として形成される。
【００３７】
＜雌コネクタハウジングの構造＞
図１、図２、図５〜図７において、雌コネクタハウジング４１は、雄コネクタ２の長手側壁１３、１４及び短手側壁１５、１６に対向する一対の長手側壁４５及び一対の短手側壁４６と、ムービングプレート５のプレート本体２９に対向するプレート対向壁４７とを有して箱形に形成される。雌コネクタハウジング４１の内部には、端子収容室４８が複数（多数）形成される。また、雌コネクタハウジング４１は、雌端子４０に対する収納部分としても形成される。端子収容室４８には、雌端子４０を係止するためのランス（符号省略）が形成される。本実施例においては、端子収容室４８に収容された雌端子４０がスペーサ４９により二重に係止される。雌端子４０は、プレート対向壁４７を介して挿入される雄端子６の雄形電気接触部８と電気的に接続される。
【００３８】
各長手側壁４５には、凸状のロックビーク５０が二つずつ形成される。このロックビーク５０は、プレート対向壁４７の近傍に配置形成される。ロックビーク５０は、コネクタ嵌合の際に、ムービングプレート５のプレート持ち上げロック３３に当接し（テーパ３６に当接し）、このプレート持ち上げロック３３を図１０の矢印のように横倒し方向に撓ませた後、プレート持ち上げロック３３に係合（係合部３７に係合）する部分として形成される。また、ロックビーク５０は、コネクタ離脱の際に（雌コネクタ３が雄コネクタ２から遠ざかる際に）、係合状態にあるプレート持ち上げロック３３を介してムービングプレート５を持ち上げ、そして、この後にプレート持ち上げロック３３を外側に押し広げて係合解除をすることが可能な部分として形成される。尚、長手側壁４５における引用符号５１、５２は、レバー３９に係合するカム突起を示す。
【００３９】
各短手側壁４６には、凸状のアーム作用部５３が二つずつ形成される（図１及び図５参照）。このアーム作用部５３は、プレート対向壁４７の近傍に配置形成される。アーム作用部５３は、コネクタ嵌合の際に、雄コネクタ２のアーム状係止部２５に当接してこれを外側に押し広げ、そして、ムービングプレート５の一時的な係止状態を解除する部分として形成される。また、アーム作用部５３は、コネクタ離脱の際に（雌コネクタ３が雄コネクタ２から遠ざかる際に）、ムービングプレート５を再度、一時的な係止状態に復帰させる部分としても形成される。
【００４０】
＜レバーの構造＞
図１、図２、及び図４において、レバー３９は、樹脂成形品であって、ＬＩＦ機構の一部として用いられる。レバー３９には、雌コネクタ本体３８のカム突起５１、５２に係合するカム溝５４、５５が形成される。また、レバー３９には、雄コネクタ２の支点突起収容溝２０に係合する支点突起５６や、雄コネクタ２に係合する仮止め部５７等が形成される。レバー３９は、公知の構造であり、操作部５８を持って回転操作が行われる。
【００４１】
次に、上記構成及び構造に基づきながら、雄コネクタ２の組み付け、雌コネクタ３の組み付け、これら雄コネクタ２と雌コネクタ３の組み付け（コネクタ嵌合・離脱）について説明をする。
【００４２】
図８はロックビーク５０とプレート持ち上げロック３３との係合に係るコネクタ１の状態を示す図である（断面を含む。電線、端子、及びレバーの図示は省略）。また、図９は図８のＦ−Ｆ線断面図、図１０は図８の要部拡大図、図１１は図９の要部拡大図である。
【００４３】
また、図１２はムービングプレート５がフード部１１の奥位置２２まで移動した時のコネクタ１の状態を示す図（断面を含む。電線、端子、及びレバーの図示は省略）、図１３は図１２のＧ−Ｇ線断面図、図１４は図１２の要部拡大図、図１５は図１３の要部拡大図である。
【００４４】
また、図１６は図１２及び図１３におけるプレート持ち上げロック３３とロックビーク５０との状態を示す平面図、図１７はコネクタ離脱を開始した直後のプレート持ち上げロック３３とロック撓み規制部２３との作用に係る要部拡大図、図１８はロックビーク５０とプレート持ち上げロック３３との係合解除に係る要部拡大図である。
【００４５】
＜雄コネクタの組み付け＞
図１及び図３において、雄コネクタハウジング７の雄端子収容部１２に雄端子６を収容係止するとともに、スペーサ２７にて雄端子６を二重に係止して雄コネクタ本体４の組み付けをすると、雄端子６の雄形電気接触部８が隔壁２８を貫通して内部空間１８に突出する。雄コネクタ本体４の組み付け後は、開口部１７を介してフード部１１の内部空間１８にムービングプレート５を挿入して、このムービングプレート５を一時的に係止した状態にすると、雄コネクタ２の組み付けが完了する。ムービングプレート５の一時的な係止状態において、内部空間１８に突出した雄形電気接触部８は、プレート本体３１にて位置決め及び保護（図１１参照）される。
【００４６】
＜雌コネクタの組み付け＞
図１ないし図３において、雌コネクタハウジング４１の端子収容室４８に雌端子４０を収容係止するとともに、スペーサ４９にて雌端子４０を二重に係止して雌コネクタ本体３８の組み付けをすると、プレート対向壁４７の奥に雌端子４０の雌形電気接触部４２が配置される。この後、雌コネクタ本体３８の外側にレバー３９を回転操作自在に取り付けるとともに、図示の如くレバー３９を初期位置に取り付けると、雌コネクタ３の組み付けが完了する。
【００４７】
＜コネクタ嵌合＞
図２及び図３において、コネクタ嵌合の方向（矢印Ａの方向）に沿って雌コネクタ３を雄コネクタ２のフード部１１に挿入すると、レバー３９の支点突起５６が雄コネクタ２の支点突起収容溝２０に挿入され、そして、コネクタ嵌合の方向に沿って案内される。この時、図５ないし図７に示す如く、雌コネクタ本体３８のロックビーク５０がムービングプレート５のプレート持ち上げロック３３に当接する（テーパ３６に当接する）。プレート持ち上げロック３３は、ロックビーク５０からの押圧を受けると、図１０の矢印に示す如く横倒し方向に撓み、これによってロックビーク５０がプレート持ち上げロック３３の突出先端側を通過する（図８ないし図１１参照）。
【００４８】
尚、図面上ではロックビーク５０とプレート持ち上げロック３３とがラップするような図で示すが、実際にはラップの分に応じた撓みが生じるようになる。
【００４９】
ロックビーク５０がプレート持ち上げロック３３の突出先端側を通過すると、横倒し方向に撓んでいたプレート持ち上げロック３３が元の状態に戻り、これによりロックビーク５０とプレート持ち上げロック３３との係合が完了する。
【００５０】
コネクタ嵌合の方向に沿って雌コネクタ３を更に挿入すると、特に図示しないが、雌コネクタ３における雌コネクタ本体３８のプレート対向壁４７がムービングプレート５のプレート本体２９に面接触する（当接する）。この時、ムービングプレート５によって位置決めされた雄形電気接触部８の先端がプレート対向壁４７に挿入される。
【００５１】
また、特に図示しないが、レバー３９を所定方向に回転操作すると、雌コネクタ本体３８がフード部１１の奥位置２２に向けて移動する。この時、ムービングプレート５のプレート本体２９は、雌コネクタ本体３８のプレート対向壁４７に押圧される。また、雌コネクタ本体３８のアーム作用部５３が雄コネクタ２のアーム状係止部２５に当接し、これを外側に押し広げると、アーム状係止部２５によるムービングプレート５の上記係止状態が解除される。
【００５２】
尚、雌コネクタ本体３８がフード部１１の奥位置２２に向けて移動する際、ムービングプレート５のプレート持ち上げロック３３がフード部１１のロック撓み規制部２３の前を通過する。
【００５３】
レバー３９の回転操作を終えると、図１２及び図１３に示す如く、雌コネクタ本体３８がムービングプレート５のプレート本体２９を介在させた状態でフード部１１の奥位置２２まで移動する。これにより、雄形電気接触部８が雌形電気接触部４２（図３参照）に完全に挿入されて雄端子６と雌端子４０との電気的な接続が完了する。以上により、雄コネクタ２と雌コネクタ３とのコネクタ嵌合が完了する。
【００５４】
尚、図１２及び図１３の状態の時、すなわちムービングプレート５がフード部１１の奥位置２２にある時、ムービングプレート５のプレート持ち上げロック３３は、雌コネクタ本体３８のロックビーク５０と係合状態にある（図１４参照）。また、プレート持ち上げロック３３は、図１５及び図１６に示す如く、ロック撓み規制部２３の存在によって外側への撓みが規制された状態にある。
【００５５】
＜コネクタ離脱＞
上記コネクタ嵌合の逆の操作を行うことになり、レバー３９を初期位置に向けて回転操作し始めると、この時、雌コネクタ本体３８のロックビーク５０がムービングプレート５のプレート持ち上げロック３３に係合した状態にあることから、雌コネクタ本体３８はムービングプレート５を持ち上げてフード部１１の奥位置２２から離れる方向に移動する。この時、プレート持ち上げロック３３には、外側に撓もうとする力が作用するが、ロック撓み規制部２３により撓みが規制される。そして、雌コネクタ本体３８及びムービングプレート５の移動が開始されると、プレート持ち上げロック３３はフード部１１のロック撓み規制部２３の前を通過する。
【００５６】
雌コネクタ本体３８のアーム作用部５３が雄コネクタ２のアーム状係止部２５に当接し、これを外側に押し広げると、アーム状係止部２５によるムービングプレート５の上記係止状態の復帰が行われる（図１２参照）。
【００５７】
レバー３９の回転操作を終えてレバー３９を初期位置まで戻し、更に、雌コネクタ３をフード部１１から抜こうとすると、図１８に示す如く、雌コネクタ本体３８のロックビーク５０がムービングプレート５のプレート持ち上げロック３３を外側に押し広げる（コネクタ離脱の場合は、プレート持ち上げロック３３が上記横倒し方向に撓まない）。そして、ロックビーク５０がプレート持ち上げロック３３の突出先端側を通過すると、ロックビーク５０とプレート持ち上げロック３３との係合が解除される（図３、図５、及び図６参照）。
【００５８】
雌コネクタ３をフード部１１から抜き取ると、雄コネクタ２と雌コネクタ３とのコネクタ離脱が完了する。
【００５９】
＜ムービングプレートがフード部の奥位置まで落ち込んだ場合＞
以上のようなコネクタ１であるが、何らかの要因により外力が掛かると、ムービングプレート５がフード部１１の奥位置２４まで落ち込んでしまう虞がある。ムービングプレート５が落ち込み、そして、この落ち込みを知らずにフード部１１内に雌コネクタ３が差し込まれてコネクタ嵌合が行われることが想定されるが、本発明のコネクタ１では次のような特徴を有し、何ら問題はない。
【００６０】
すなわち、特に図示しないが、ムービングプレート５がフード部１１の奥位置２４に落ち込んだ状態の時、ムービングプレート５のプレート持ち上げロック３３は外側への撓みがロック撓み規制部２３により規制されるものの、上記横倒し方向への撓みは規制されないことから、プレート持ち上げロック３３とロックビーク５０との係合を破損なく行うことができる。
【００６１】
＜コネクタの効果＞
以上、図１ないし図１８を参照しながら説明してきたように、本発明のコネクタ１を採用することで、コネクタ離脱の際にムービングプレート５を持ち上げ、そして、ムービングプレート５を元の位置に戻すことができるという効果を奏する。また、本発明のコネクタ１を採用することで、ムービングプレート５が落ち込んだとしても破損することなくコネクタ嵌合を行うことができるという効果も奏する。
【００６２】
本発明は本発明の主旨を変えない範囲で種々変更実施可能なことは勿論である。
【符号の説明】
【００６３】
Ａ…コネクタ嵌合・離脱の方向、  １…コネクタ、  ２…雄コネクタ、  ３…雌コネクタ、  ４…雄コネクタ本体、  ５…ムービングプレート、  ６…雄端子、  ７…雄コネクタハウジング、  ８…雄形電気接触部、  ９…電線接続部、  １０…電線、  １１…フード部、  １２…雄端子収容部、  １３、１４…長手側壁、  １５、１６…短手側壁、  １７…開口部、  １８…内部空間、  １９…ブラケット取付部、  ２０…支点突起収容溝、  ２１…ロック対向部、  ２２…奥位置、  ２３…ロック撓み規制部、  ２４…撓み許容空間、  ２５…アーム状係止部、  ２６…端子収容室、  ２７…スペーサ、  ２８…隔壁、  ２９…プレート本体、  ３０…挿通部、  ３１…被係止部、  ３２…ガイド部、  ３３…プレート持ち上げロック、  ３４〜３６…テーパ、  ３７…係合部、  ３８…雌コネクタ本体、  ３９…レバー、  ４０…雌端子、  ４１…雌コネクタハウジング、  ４２…雌形電気接触部、  ４３…電線接続部、  ４４…電線、  ４５…長手側壁、  ４６…短手側壁、  ４７…プレート対向壁、  ４８…端子収容室、  ４９…スペーサ、  ５０…ロックビーク、  ５１、５２…カム突起、  ５３…アーム作用部、  ５４、５５…カム溝、  ５６…支点突起、  ５７…仮止め部、  ５８…操作部
【図１】
2016046085.tif 000003
【図２】
2016046085.tif 000004
【図３】
2016046085.tif 000005
【図４】
2016046085.tif 000006
【図５】
2016046085.tif 000007
【図６】
2016046085.tif 000008
【図７】
2016046085.tif 000009
【図８】
2016046085.tif 000010
【図９】
2016046085.tif 000011
【図１０】
2016046085.tif 000012
【図１１】
2016046085.tif 000013
【図１２】
2016046085.tif 000014
【図１３】
2016046085.tif 000015
【図１４】
2016046085.tif 000016
【図１５】
2016046085.tif 000017
【図１６】
2016046085.tif 000018
【図１７】
2016046085.tif 000019
【図１８】
2016046085.tif 000020